【手続補正書】
【提出日】平成18年4月28日(2006.4.28)
【手続補正１】
【補正対象書類名】明細書
【補正対象項目名】発明の名称
【補正方法】変更
【補正の内容】
【発明の名称】遊技機の球供給構造
【手続補正２】
【補正対象書類名】明細書
【補正対象項目名】特許請求の範囲
【補正方法】変更
【補正の内容】
【特許請求の範囲】
【請求項１】  複数の遊技球を貯留する球貯留部と該球貯留部の下方に連通する球通路とを備えた球皿部と，上記球通路を通過する遊技球を１つずつ整流して球発射装置側へと送り出す整流器とを前枠の前面側に設けてなる遊技機の球供給構造において，
上記球皿部は，上記前枠の前面に固定されており，
上記前枠には，上記球通路における上記整流器へ通ずる球出口を遮ることができるシャッター部材が前後方向に移動可能に配設されていると共に，該シャッター部材には，上記球出口を遮るよう前方への付勢力が付与されており，
上記整流器は，上記シャッター部材の一部を後方へ押圧移動させて，該シャッター部材が上記球出口を開口させた状態を形成し，上記遊技球の整流及び送出が可能な状態で上記遊技機に取り付けられており，かつ，上記シャッター部材の一部を押圧移動させた状態を解除し，該シャッター部材が上記球出口を遮ることができるように前枠の前面側に移動可能に設けられており，
上記前枠の前面側には，上記整流器を覆う保護カバーが開閉可能に配設されており，該保護カバーは，上記前枠の前面側に開閉可能に配設したガラス扉によって閉状態が保持されていることを特徴とする遊技機の球供給構造。
【手続補正３】
【補正対象書類名】明細書
【補正対象項目名】０００６
【補正方法】変更
【補正の内容】
【０００６】
本発明は，かかる従来の問題点に鑑みてなされたもので，球皿部内に遊技球が貯留されている状態においても，整流器又は球発射装置等に発生したトラブルに迅速に対処することができる遊技機の球供給構造を提供しようとするものである。
【手続補正４】
【補正対象書類名】明細書
【補正対象項目名】０００７
【補正方法】変更
【補正の内容】
【０００７】
【課題の解決手段】
本発明は，複数の遊技球を貯留する球貯留部と該球貯留部の下方に連通する球通路とを備えた球皿部と，上記球通路を通過する遊技球を１つずつ整流して球発射装置側へと送り出す整流器とを前枠の前面側に設けてなる遊技機の球供給構造において，
上記球皿部は，上記前枠の前面に固定されており，
上記前枠には，上記球通路における上記整流器へ通ずる球出口を遮ることができるシャッター部材が前後方向に移動可能に配設されていると共に，該シャッター部材には，上記球出口を遮るよう前方への付勢力が付与されており，
上記整流器は，上記シャッター部材の一部を後方へ押圧移動させて，該シャッター部材が上記球出口を開口させた状態を形成し，上記遊技球の整流及び送出が可能な状態で上記遊技機に取り付けられており，かつ，上記シャッター部材の一部を押圧移動させた状態を解除し，該シャッター部材が上記球出口を遮ることができるように前枠の前面側に移動可能に設けられており，
上記前枠の前面側には，上記整流器を覆う保護カバーが開閉可能に配設されており，該保護カバーは，上記前枠の前面側に開閉可能に配設したガラス扉によって閉状態が保持されていることを特徴とする遊技機の球供給構造にある（請求項１）。
【手続補正５】
【補正対象書類名】明細書
【補正対象項目名】０００８
【補正方法】変更
【補正の内容】
【０００８】
本発明の遊技機の球供給構造は，上記整流器又は球発射装置等に異物混入や球詰まり等のトラブルが発生した際に，球皿部における球通路内及び球貯留部内の遊技球を一旦取り除くことなく，上記トラブルに対処できるようにしたものである。
すなわち，これを実現するために，上記前枠の前面側には，遊技球を整流する整流器が移動又は着脱可能に設けられている。また，前枠の前面側には，整流器の移動又は取外しに伴って，上記球通路の球出口を遮断又は開口することができる上記シャッター部材が設けられている。
【手続補正６】
【補正対象書類名】明細書
【補正対象項目名】０００９
【補正方法】変更
【補正の内容】
【０００９】
そして，上記整流器を上記遊技機に取り付けた状態においては，上記シャッター部材の一部が上記整流器によって押圧移動されて，このシャッター部材が上記球通路の球出口を開口した状態を形成している。これにより，整流器は，上記球通路と上記球発射装置とを連通できる状態にあり，球通路を通過する遊技球を整流して，１つずつ球発射装置に送り出すことができ，上記遊技機においてパチンコ遊技を行うことができる。
【手続補正７】
【補正対象書類名】明細書
【補正対象項目名】００１１
【補正方法】変更
【補正の内容】
【００１１】
そのため，例えば，上記遊技機においてパチンコ遊技を行っている最中に，上記整流器又は上記球発射装置等に異物混入や球詰まり等のトラブルが発生したときでも，上記球貯留部内から遊技球を一旦抜き出すことなく，上記整流器の移動又は取外しを行って，上記トラブルに対処することができる。
それ故，本発明の遊技機の球供給構造によれば，整流器又は球発射装置等に存在する遊技球（遊技客に払い出された賞球や貸し球）の球数を確認可能な状態で、上記トラブルに対処することができ，遊技客とのトラブルを解消できる。また，上記球皿部内に遊技球が貯留されている状態において，上記整流器又は球発射装置等に発生したトラブルに迅速に対処することができる。
【手続補正８】
【補正対象書類名】明細書
【補正対象項目名】００１２
【補正方法】変更
【補正の内容】
【００１２】
【発明の実施の形態】
上述した本発明における好ましい実施の形態につき説明する。
本発明においては，上記シャッター部材は，弾性変形可能な板部材からなり，該シャッター部材自体が上記付勢力を生じさせるよう構成されていることが好ましい。
この場合には，上記シャッター部材に付勢力を付与するためのバネ部材等の別部材を設ける必要がない。そして，上記シャッター部材の簡単な構成により，このシャッター部材自体を弾性変形させて上記球通路における球出口を開口することができ，このシャッター部材の弾性変形が復元することにより上記球出口を遮ることができる。そのため，シャッター部材の簡単な構成により，上記優れた作用効果を奏する遊技機を形成することができる。
【手続補正９】
【補正対象書類名】明細書
【補正対象項目名】００１３
【補正方法】変更
【補正の内容】
【００１３】
また，上記シャッター部材は，上記球皿部又は上記前枠に固定される固定部と，該固定部から延長形成され弾性変形が可能である弾性変形部と，該弾性変形部に対して略直角に折り曲げ形成して上記球出口に対面して該球出口を遮る遮断部と，該遮断部から突出するよう形成し，上記整流器を移動又は着脱させる際の軌跡内に位置して該整流器により押圧される被押圧部とを有していることが好ましい。
【手続補正１０】
【補正対象書類名】明細書
【補正対象項目名】００１６
【補正方法】変更
【補正の内容】
【００１６】
また，上記球皿部は上記前枠の前面に固定されており，上記整流器は上記前枠の前面側に回動移動可能に配設されていることが好ましい。
上記のごとく，上記整流器を移動可能に配設した構成により，この場合のように上記球皿部を前枠に固定することができる。そして，この球皿部の固定により，球皿部を前枠に対して開けるときに球皿部内の遊技球が零れ落ちることを防止するための球止め部材等を設けることが不要になる。
上記整流器の回動移動により，上記シャッター部材を押圧移動させることが容易であり，上記押圧移動の解除も容易である。
【手続補正１１】
【補正対象書類名】明細書
【補正対象項目名】００１８
【補正方法】変更
【補正の内容】
【００１８】
また，上記のごとく，上記前枠の前面側には，該整流器を覆う保護カバーが開閉可能に配設されており，該保護カバーは，上記前枠の前面側に開閉可能に配設したガラス扉によって閉状態が保持されている。
これにより，上記保護カバーによって上記整流器が遊技者に直接見えないようにすることができ，上記保護カバーを開けなければ上記整流器を上記遊技機に取り付けた状態から移動させたり取り外したりできなくすることができる。
【手続補正１２】
【補正対象書類名】明細書
【補正対象項目名】００２０
【補正方法】変更
【補正の内容】
【００２０】
また，上記保護カバーの裏面側には，上記遊技機に取り付けられた上記整流器が移動又は離脱することを防止する移動防止部が設けられていることが好ましい。
この場合には，例えば，振動等の外力が整流器に加わった際に，この整流器が意図せず移動又は離脱してしまうことを防止することができる。